(57)【要約】【課題】反射面と鋭角を形成する切断面を有するミラーを、反射面の歪みを低減して容易に取り付けられる構造を備える光ピックアップを提供する。【解決手段】光ピックアップ１は、反射面１６ａと鋭角を形成する切断面１６ｃを有するミラー１６と、ミラー１６が取り付けられる取付部３０が形成されるベース部材と、を備える。取付部３０は、所定の間隔をあけて対向配置され、それぞれミラー１６が載置される載置面３１ａ、３２ａを有する一対の載置部３１、３２と、載置面３１ａ、３２ａと斜めに対向してミラー１６の切断面１６ｃが押し当てられる当て面３３ａを有する壁部３３と、を有する。ミラー１６は、反射面１６ａと載置面３１ａ、３２ａとが対向するように一対の載置部３１、３２に載置され、壁部３３には、当て面３３ａと切断面１６ｃの反射面側端部Ｌ１近傍との接触を回避する空間部３３ｂが形成されている。【選択図】図４
2010165436.tif 000002
【特許請求の範囲】
【請求項１】
反射面と、該反射面と略平行な対向面と、前記反射面と鋭角を形成する切断面と、を有するミラーと、
前記ミラーが取り付けられる取付部が形成されるベース部材と、を備える光ピックアップであって、
前記取付部は、
所定の間隔をあけて対向配置され、それぞれ前記ミラーが載置される載置面を有する一対の載置部と、
前記載置面と斜めに対向して前記ミラーの前記切断面が押し当てられる当て面を有する壁部と、を有し、
前記ミラーは、前記反射面と前記載置面とが対向するように前記一対の載置部に載置され、
前記壁部には、前記当て面と前記切断面の前記反射面側端部近傍との接触を回避する空間部が形成されていることを特徴とする光ピックアップ。
【請求項２】
前記当て面が、前記切断面の前記対向面側端部から前記切断面に沿って前記反射面側端部に向かう方向の略半分位置までと接触するように、前記空間部が形成されていることを特徴とする請求項１に記載の光ピックアップ。
【請求項３】
前記ミラーは、光源から出射された出射光の光軸が光ディスクの情報記録面と略直交するように光を反射する打ち上げミラーであることを特徴とする請求項１又は２に記載の光ピックアップ。
【請求項４】
光源からの光を光ディスクの情報記録面へと導くとともに、情報記録面で反射された戻り光を受光素子へと導く光学系を２つ有し、
前記ミラーが、２つの前記光学系のうちの少なくとも一方に含まれることを特徴とする請求項３に記載の光ピックアップ。
【発明の詳細な説明】
【技術分野】
【０００１】
本発明は光ピックアップに関し、より詳細には、反射面と鋭角を形成する切断面を有するミラーを備える光ピックアップの構成に関する。
【背景技術】
【０００２】
従来、光ディスクの情報を読み取ったり、光ディスクに情報を書き込んだりするために、光ピックアップが使用されている。光ディスクには、例えばコンパクトディスク（ＣＤ）、デジタル多用途ディスク（ＤＶＤ）、ブルーレイディスク（ＢＤ)等、複数種類のものが存在する。このために、利便性等を考慮して、従来の光ピックアップの中には複数種類の光ディスクに対応できるものがある。
【０００３】
そして、複数種類の光ディスクに対応可能な光ピックアップの中には、光ディスクの種類によって使い分けられる２つの分離した光学系を備えるものがある。ここで、各光学系は、それぞれ、光源から出射される光を光ディスクの情報記録面に導くと共に、情報記録面で反射される光を受光素子へと導く機能を果たす。このような光ピックアップの具体例として、一方の光学系がＢＤの情報の読み取り等に使用され、他方の光学系がＤＶＤ及びＣＤの情報の読み取り等に使用されるような光ピックアップがある。
【０００４】
ところで、光ピックアップにおいては、光源から出射される光を光ディスクの情報記録面に集光するための対物レンズは、対物レンズアクチュエータに搭載される。この対物レンズアクチュエータは、搭載される対物レンズを少なくともフォーカス方向及びトラック方向に移動可能とするために設けられる。
【０００５】
ここで、フォーカス方向とは光ディスクの情報記録面と垂直な方向であり、トラック方向とは光ディスクの半径方向（ラジアル方向）と平行な方向である。対物レンズをフォーカス方向に移動可能とするのは、対物レンズの焦点位置が常に情報記録面に合うように制御（フォーカス制御）するためである。また、対物レンズをトラック方向に移動可能とするのは、対物レンズによって集光された光スポットが、光ディスクのトラックに常に追随するように制御（トラック制御）するためである。
【０００６】
上述の２つの分離した光学系を備える光ピックアップの中には、各光学系が備える対物レンズを１つのレンズホルダに搭載し、１つの対物レンズアクチュエータで２つの対物レンズを移動可能とするものがある。このような構成とした場合、装置の小型化や部品点数の低減等の点で有利である。
【先行技術文献】
【特許文献】
【０００７】
【特許文献１】特開２００５−３０２２２８号公報
【発明の概要】
【発明が解決しようとする課題】
【０００８】
ところで、本出願人は、２つの対物レンズを１つのレンズホルダに搭載する場合、２つの対物レンズの間隔がなるべく小さくなるように２つの対物レンズを搭載するのが好ましいという知見を得ている。これは、例えばワイヤを用いてレンズホルダを揺動可能に支持するタイプの対物レンズアクチュエータにおいては、レンズホルダに搭載される２つの対物レンズの間隔が大きいと、対物レンズアクチュエータの駆動感度やＤＣチルトといった特性が悪化するという結果が得られていることに基づく。
【０００９】
２つの対物レンズの間隔を小さくしようとすると、分離した２つの光学系がそれぞれ備える打ち上げミラーの反射面をなるべく近くに配置する必要が生じる。なお、ここで言う打ち上げミラーとは、光源から出射される出射光の光軸が光ディスクの情報記録面と略直交するように光を反射するミラーのことである。２つの打ち上げミラーの反射面を近づける方策として、打ち上げミラーの一部を切断することが挙げられる。
【００１０】
しかしながら、本発明者は、上記目的のために打ち上げミラーの一部を切断し、そのような打ち上げミラーを開発中の光ピックアップに搭載した場合には、以下のような問題が生じることに気付いた。
【００１１】
図５は、開発段階にある２つの分離した光学系を有する光ピックアップにおける、対物レンズと打ち上げミラーとの関係を示す図である。第１打ち上げミラー１０１は、左から右へと進む入射光を反射面１０１ａで反射して、第１打ち上げミラー１０１の上側にある第１対物レンズ１０２へと導く。第２打ち上げミラー１０３は、紙面奥側から手前へと進む入射光を反射面１０３ａで反射して、第２打ち上げミラー１０１の上側にある第２対物レンズ１０４と導く。なお、図５において、符号１０は光ディスクを指し、符号１０ａは光ディスク１０の情報記録面を指す。
【００１２】
第２打ち上げミラー１０３は、反射面１０３ａと、反射面１０３ａと略平行な対向面１０３ｂとを有する平板状部材からなる。一方、第１打ち上げミラー１０１は、第２打ち上げミラー１０３のような平板状部材の一部を斜めに切断して成るミラーである。詳細には、第１打ち上げミラー１０１は、反射面１０１ａと、反射面１０１ａと略平行な対向面１０１ｂと、反射面１０１ａと鋭角を形成する切断面１０１ｃとを有する。この切断面１０１ｃの形成により、第１打ち上げミラー１０１を単に平板状部材で形成する場合に比べて、２つの反射面１０１ａ、１０３ａ間の距離を近づけることが可能となっている。
【００１３】
上述のような切断面１０１ｃを有する打ち上げミラー１０１を光ピックアップのベース部材へ取り付ける構造として、本発明者は、当初、図６のような構成を考えた。なお、図６は、本発明者が当初考案した、切断面１０１ｃを有する打ち上げミラー１０１を光ピックアップのベース部材へ取り付ける構成を説明するための図で、図６（ａ）はベース部材に形成された取付部の構成を示す概略平面図、図６（ｂ）は図６（ａ）のＡ´−Ａ´位置或いはＢ´−Ｂ´位置における断面図である。なお、図６（ａ）では、説明の便宜上、第１打ち上げミラー１０１を破線で示し、透明であるかのように扱っている。
【００１４】
図６に示すように、当初考案の取付部２００は、所定の間隔をあけて対向配置され、それぞれ第１打ち上げミラー１０１が載置される載置面２０１ａ或いは載置面２０２ａを有する一対の載置部２０１、２０２と、載置面２０１ａ、２０２ａと斜めに対向して第１打ち上げミラー１０１の切断面１０１ｃが押し当てられる当て面２０３ａを有する壁部２０３と、を有する。
【００１５】
なお、載置面２０１ａ、２０２ａは光の入射方向（右方向を指す矢印方向）に対して傾いた傾斜面であり、当て面２０３ａは光の入射方向に対して略直交する面である。そして、これにより、載置面２０１ａ、２０２ａと当て面２０３ａとは斜めに対向する関係となっている。
【００１６】
また、第１打ち上げミラー１０１は、反射面１０１ａが載置面２０１ａ、２０２ａと対向するように一対の載置部２０１、２０２に載置される。このため、図５の場合と反対に、図６（ｂ）では入射した光が下方向に反射されることになる。なお、第１打ち上げミラー１０１が一対の載置部２０１、２０２に載置された状態において、切断面１０１ｃと当て面２０３ａとが略平行な関係となるように、壁部２０３と切断面１０１ｃとの関係は調整されている。
【００１７】
取付部２００をこのように構成すると、位置決めが容易であり、第１打ち上げミラー１０１を治具で押さえつけながら簡単に取付部２００に取り付けることが可能である。しかしながら、このような取り付け構造で第１打ち上げミラー１０１を取り付けた場合、反射面１０１ａに歪みが発生し易いことがわかった。そして、この歪みは、取付部２００に第１打ち上げミラー１０１を治具で押さえつけながら取り付ける際に、第１打ち上げミラー１０１の切断によって形成された薄肉部分が変形し易いために生じることがわかった。
【００１８】
このようなことから、特許文献１に示される構成を参考に、第１打ち上げミラー１０１の切断面１０１ｃが押し当てられる壁部２０３を取付部２００から取り除くことが考えられる。しかし、この構成の場合には、第１打ち上げミラー１０１の取り付け作業が容易でなくなり、作業者の負担が増加する。
【００１９】
そこで、本発明の目的は、反射面と鋭角を形成する切断面を有するミラーを、反射面の歪みを低減して容易に取り付けられる構造を備える光ピックアップを提供することである。
【課題を解決するための手段】
【００２０】
上記目的を達成するために本発明は、反射面と、該反射面と略平行な対向面と、前記反射面と鋭角を形成する切断面と、を有するミラーと、前記ミラーが取り付けられる取付部が形成されるベース部材と、を備える光ピックアップであって、前記取付部は、所定の間隔をあけて対向配置され、それぞれ前記ミラーが載置される載置面を有する一対の載置部と、前記載置面と斜めに対向して前記ミラーの前記切断面が押し当てられる当て面を有する壁部と、を有し、前記ミラーは、前記反射面と前記載置面とが対向するように前記一対の載置部に載置され、前記壁部には、前記当て面と前記切断面の前記反射面側端部近傍との接触を回避する空間部が形成されていることを特徴としている。
【００２１】
本構成によれば、取付部にはミラーの反射面を載置する載置面と、ミラーの切断面を押し当てる当て面とが形成されている。このために、ミラーを位置合わせして取り付ける作業が行い易い。そして、当て面が形成される壁部には、当て面と切断面の反射側端部近傍との接触を回避する空間部が設けられているので、ミラーの取り付けることによって発生する歪みを低減できる。
【００２２】
上記構成の光ピックアップにおいて、前記当て面が、前記切断面の前記対向面側端部から前記切断面に沿って前記反射面側端部に向かう方向の略半分位置までと接触するように、前記空間部が形成されているのが好ましい。このように構成することにより、ミラーを当て面でしっかりと固定しつつ、反射面に生じる歪みを低く抑えられる。
【００２３】
上記構成の光ピックアップにおいて、前記ミラーは、光源から出射された出射光の光軸が光ディスクの情報記録面と略直交するように光を反射する打ち上げミラーであることとしても良い。更に、この構成で、光源からの光を光ディスクの情報記録面へと導くとともに、情報記録面で反射された戻り光を受光素子へと導く光学系を２つ有し、前記ミラーが、２つの前記光学系のうちの少なくとも一方に含まれることとしても良い。
【発明の効果】
【００２４】
本発明の光ピックアップでは、反射面と鋭角を形成する切断面を有するミラーを、反射面の歪みを低減して容易に取り付けられる。このために、本発明の光ピックアップを用いれば、コストアップを抑えて、読み取りや書き込みの品質を向上可能である。
【図面の簡単な説明】
【００２５】
【図１】本実施形態の光ピックアップの構成を示す概略平面図
【図２】本実施形態の光ピックアップの構成を示す概略側面図
【図３】本実施形態の光ピックアップを図１の裏面側から見た場合における光ピックアップの光学構成を示す概略図
【図４】図２の破線で囲まれた領域内に形成される第１打ち上げミラーの取付部の構成を説明するための図
【図５】開発段階にある２つの分離した光学系を有する光ピックアップにおける、対物レンズと打ち上げミラーとの関係を示す図
【図６】本発明者が当初考案した、反射面と鋭角を形成する切断面を有する打ち上げミラーを光ピックアップのベース部材へ取り付ける構成を説明するための図
【発明を実施するための形態】
【００２６】
以下、本発明の光ピックアップの実施形態について、図面を参照しながら詳細に説明する。
【００２７】
図１は、本実施形態の光ピックアップの構成を示す概略平面図である。図２は、本実施形態の光ピックアップの構成を示す概略側面図である。図３は、本実施形態の光ピックアップを図１の裏面側から見た場合における光ピックアップの光学構成を示す概略図である。なお、図１ではガイドシャフトを、図２では光ディスクを、説明の便宜のために追加して記載している。また、図３は、本来被せられている金属カバーを取り外した状態であり、これにより、本実施形態の光ピックアップの光学構成が見えるようになっている。図１から図３を参照しながら、本実施形態の光ピックアップ１の概略構成を説明する。
【００２８】
光ディスク１０に記録される情報を読み取る際、光ピックアップ１は光ディスク１０の半径方向（ラジアル方向）に動かされながら使用される。このため、図１又は図２に示すように、光ピックアップ１のピックアップベース（ベース部材）２の左右には、軸受け部２ａ、２ｂが設けられている。そして、これにより、光ピックアップ１は、ラジアル方向に延びる２本のガイドシャフト５１に摺動可能に保持され、光ディスク１０の所望のアドレスへのアクセスが可能となる。
【００２９】
なお、光ピックアップ１の移動は、図示しない公知の移動機構によって行われる。公知の移動機構の一例として、ピックアップベース２に取り付けられラックと、ピックアップベースとは別のベース部材に取り付けられてモータによって回転されるピニオンと、を用いる構成等が挙げられる。
【００３０】
図３に示すように、本実施形態の光ピックアップ１は、互いに分離した関係にある、第１光学系４と第２光学系５とを備える。第１光学系４は、ＢＤに記録される情報を読み取ったり、ＢＤに情報を書き込んだりするために使用される光学系である。第２光学系５は、ＤＶＤ及びＣＤ（以下、単に、ＤＶＤ／ＣＤと記載する場合がある）に記録される情報を読み取ったり、ＤＶＤ／ＣＤに情報を書き込んだりするために使用される光学系である。
【００３１】
第１光学系４は、第１光源１１と、回折素子１２と、偏光ビームスプリッタ１３と、１／４波長板１４と、第１コリメートレンズ１５と、第１打ち上げミラー１６と、第１対物レンズ１７（図１参照）と、第１シリンドリカルレンズ１８と、第１受光素子１９と、を備える。これらのうち、第１対物レンズ１７以外の部材はピックアップベース２に搭載される。第１対物レンズ１７は、対物レンズアクチュエータ３（図１参照）に搭載される。
【００３２】
第１光源１１はＢＤ用のレーザ光（波長４０５ｎｍ帯のレーザ光）を出射する半導体レーザである。なお、第１光源１１からは直線偏光が出射されるようになっている。第１光源１１から出射されたレーザ光は、回折素子１２によって主光と２つの副光とに分けられる。これは、トラック制御を行うために必要なトラックエラー信号を得られるようにするためである。回折素子１２から出射したレーザ光は偏光ビームスプリッタ１３に送られる。
【００３３】
偏光ビームスプリッタ１３は、第１光源１１から出射される直線偏光と同じ偏光方向の直線偏光を反射し、第１光源１１から出射される直線偏光に対して偏光方向が９０度回転された直線偏光を透過するように形成されている。このため、回折素子１２から偏光ビームスプリッタ１３に送られたレーザ光は、偏光ビームスプリッタ１３で反射されることになる。偏光ビームスプリッタ１３で反射されたレーザ光は、１／４波長板１４に送られる。
【００３４】
１／４波長板１４は、入射する直線偏光を円偏光に変換するとともに、円偏光を直線偏光に変換する。偏光ビームスプリッタ１３から送られて１／４波長板１４を通過したレーザ光は円偏光となって第１コリメートレンズ１５へと送られる。
【００３５】
第１コリメートレンズ１５は、図示しない駆動手段によって光軸方向（図３に示す矢印Ｃの方向）に移動可能となっている。これは、その位置の操作によって、第１コリメートレンズ１５から出射されるレーザ光の収束発散状態を変化させ、第１対物レンズ１７に入射するレーザ光の収束発散状態を変化させるためである。このような構成とする理由は、球面収差の補正を適宜行えるようにするためである。第１コリメートレンズ１５から出射されたレーザ光は第１打ち上げミラー１６へと送られる。
【００３６】
第１打ち上げミラー１６は、入射するレーザ光を反射して、その光軸を光ディスク１０の情報記録面１０ａ（図２参照））と略直交する方向（図３においては、紙面と略垂直な方向が該当する）に変換する。すなわち、第１打ち上げミラー１６が有する反射面は、第１光源１１から出射されて第１打ち上げミラー１６に入射するレーザ光の光軸に対して略４５度傾いた状態となっている。
【００３７】
なお、第１打ち上げミラー１６は、第１対物レンズ１７と第２光学系５が備える第２対物レンズ２５とが近づけられるように、反射面と鋭角を形成する切断面が形成されており、図５に示す打ち上げミラー１０１と同様の構成となっている。すなわち、第１打ち上げミラー１６は、反射面１６ａと、反射面１６ａと略平行な対向面１６ｂと、反射面１６ａと鋭角を形成する切断面１６ｃとを有する（後述の図４参照）。また、図３は、光ピックアップ１を裏面から見た構成であり、第１光源１１から出射され、第１打ち上げミラー１６で反射された反射光は紙面奥側に向かって進行する。そして、第１打ち上げミラー１６で反射されたレーザ光は、第１対物レンズ１７へと送られる。
【００３８】
第１対物レンズ１７は、ＢＤ用に設計された対物レンズであり、第１打ち上げミラー１６からのレーザ光を光ディスク１０の情報記録面１０ａに集光する。第１対物レンズ１７によって情報記録面１０ａに集光されたレーザ光は、情報記録面１０ａで反射される。
【００３９】
情報記録面１０ａで反射された戻り光は、第１対物レンズ１７を透過し、第１打ち上げミラー１６で反射される。そして、第１コリメートレンズ１５を通過後、１／４波長板１４で直線偏光に変換される。この直線偏光の偏光方向は、第１光源１１から出射された直線偏光の偏光方向を９０度回転した方向である。このため、１／４波長板１４を通過した戻り光は、偏光ビームスプリッタ１３を透過する。すなわち、偏光ビームスプリッタ１３と１／４波長板１４とは、協働して光アイソレータとして機能する。
【００４０】
偏光ビームスプリッタ１３を透過した戻り光は、第１シリンドリカルレンズ１８によって非点収差を与えられて、第１受光素子１９の受光面へと集光する。なお、第１シリンドリカルレンズ１８は、公知の手法である非点収差法によるフォーカスエラー信号を得るために設けられている。そして、得られたフォーカスエラー信号に基づいてフォーカス制御が行われる。
【００４１】
第２光学系５は、第２光源２１と、ハーフミラー２２と、第２コリメートレンズ２３と、第２打ち上げミラー２４と、第２対物レンズ２５（図１参照）と、第２シリンドリカルレンズ２６と、第２受光素子２７と、を備える。これらのうち、第２対物レンズ２６以外の部材はピックアップベース２に搭載される。第２対物レンズ２６は、対物レンズアクチュエータ３（図１参照）に搭載される。
【００４２】
第２光源２１はＤＶＤ用のレーザ光（波長６５０ｎｍ帯のレーザ光）とＣＤ用のレーザ光（波長７８０ｎｍ帯のレーザ光）とを切り換えて出射可能な２波長対応の半導体レーザである。第２光源２１から出射されたレーザ光はハーフミラー２２に送られる。
【００４３】
ハーフミラー２２は平板状のミラー部材で、第２光源２１から出射されるレーザ光の入射面が第２光源２１から出射されるレーザ光の光軸に対して略４５度の傾きを有するように配置されている。ハーフミラー２２は、第２光源２１から出射されるレーザ光の一部を反射し、残りの一部を透過する。ハーフミラー２２で反射されたレーザ光は、第２コリメートレンズ２３に送られる。
【００４４】
第２コリメートレンズ２３は、入射したレーザ光(発散光)を平行光に変換する平行光変換手段として機能する。第２コリメートレンズ２３から出射されたレーザ光（平行光）は第２打ち上げミラー２４へと送られる。
【００４５】
第２打ち上げミラー２４は略平板状部材からなるミラーであり、入射するレーザ光を反射して、その光軸を光ディスク１０の情報記録面１０ａと略直交する方向（図２においては、紙面と垂直な方向が該当する）に変換する。すなわち、第２打ち上げミラー２４が有する反射面は、第２光源２１から出射されて第２打ち上げミラー２４に入射するレーザ光の光軸に対して略４５度傾いた状態となっている。
【００４６】
なお、図３は、光ピックアップ１を裏面から見た構成であり、第２光源２１から出射され、第２打ち上げミラー２４で反射された反射光は紙面奥側に向かって進行する。そして、第２打ち上げミラー２４で反射されたレーザ光は、第２対物レンズ２５へと送られる。
【００４７】
第２対物レンズ２５は、ＤＶＤ及びＣＤに対応するように設計された対物レンズであり、第２打ち上げミラー２４からのレーザ光を光ディスク１０の情報記録面１０ａに集光する。第２対物レンズ２５によって情報記録面１０ａに集光されたレーザ光は、情報記録面１０ａで反射される。
【００４８】
情報記録面１０ａで反射された戻り光は、第２対物レンズ２５を透過し、第２打ち上げミラー２４で反射される。そして、第２コリメートレンズ２３を通過後、ハーフミラー２２に入射する。ハーフミラー２２を透過した戻り光は、第２シリンドリカルレンズ２６によって非点収差を調整されて、第２受光素子２７の受光面へと集光する。なお、第２シリンドリカルレンズ１８は、公知の手法である非点収差法によるフォーカスエラー信号を得るために設けられている。そして、得られたフォーカスエラー信号に基づいてフォーカス制御が行われる。
【００４９】
なお、上述のように、第１対物レンズ１７と第２対物レンズ２５とは、対物レンズアクチュエータ３に搭載される。対物レンズアクチュエータ３の構成については、特に限定されるものではないが、本実施形態においては、２つの対物レンズ１７、２５をレンズホルダで保持し、ワイヤを用いてこのレンズホルダを揺動可能に支持する構成としている。このような構成の対物レンズアクチュエータは公知であるので、ここではその説明は省略する。
【００５０】
また、改めて示さないが、２つの打ち上げミラー１６、２４と２つの対物レンズ１７、２５との関係は図５に示す関係と同様の関係となっている。
【００５１】
以上に示したように、本実施形態の光ピックアップ１が備える第１打ち上げミラー１６は、反射面と鋭角をなす切断面を有する。このような打ち上げミラーを備える光ピックアップでは、上述のように、単に作業性良く取り付けられることのみを考慮して取付構造を形成すると、反射面に歪みが生じるといった問題があることがわかった。そこで、本実施形態の光ピックアップ１では、ピックアップベース２に第１打ち上げミラー１６を作業性良く取り付けられ、更に、取付後の第１打ち上げミラー１６の反射面に歪みが生じ難くなる工夫をしている。以下、これについて説明する。
【００５２】
図４は、図２の破線で囲まれた領域Ｒ内に形成される第１打ち上げミラーの取付部の構成を説明するための図であり、図４（ａ）は概略平面図、図４（ｂ）は図４（ａ）のＡ−Ａ位置或いはＢ−Ｂ位置における断面図である。なお、図４（ａ）、図４（ｂ）では、説明の便宜上、第１打ち上げミラー１６についても示しており、特に図４（ａ）では第１打ち上げミラー１６を破線で示し、透明であるかのように扱っている。
【００５３】
図４に示すように、本実施形態の光ピックアップ１が備える第１打ち上げミラー１６の取付部３０は、所定の間隔をあけて対向配置され、それぞれ第１打ち上げミラー１６が載置される載置面３１ａ、３２ａを有する一対の載置部３１、３２と、載置面３１ａ、３２ａと斜めに対向して第１打ち上げミラー１６の切断面１６ｃが押し当てられる当て面３３ａを有する壁部３３と、を備える。
【００５４】
図４に示す符号２ｃは、ピックアップベース２の天井側平面である。なお、ここでは、光ピックアップ１の基本配置として図２の配置を想定し、図２におけるピックアップベース２の上側を天井と表現することとしている。光ピックアップ１においては、ピックアップベース２は樹脂で形成されており、取付部３０を構成する一対の載置部３１、３２及び壁部３３はピックアップベース２と一体的に形成されている。
【００５５】
一対の載置部３１、３２は同一形状であり、更に詳細には、いずれも断面視略台形状に形成された板状構造で、天井側平面２ｃから突出している。一対の載置部３１、３２の間に設けられる一定の間隔は、光ピックアップ１におけるレーザ光の有効径によって決められる。
【００５６】
また、２つの載置部３１、３２が有する載置面３１ａ、３２ａは、ピックアップベース２の天井側平面２ｃに対して傾いた斜面となっている。この斜面となった載置面３１ａ、３２ａには、第１打ち上げミラー１６の反射面１６ａが対向するように載置され、第１打ち上げミラー１６の上下の端部側（この上下は図４（ａ）を参照しての表現である）が載置される。載置面３１ａ、３２ａの傾斜角は、図４（ａ）を参照して、左から右へと向かうレーザ光を反射して、その光軸が紙面奥側へと向かう方向に変換する（光軸を略９０度変換する）ように調整されている。
【００５７】
壁部３３は、ピックアップベース２の天井側平面２ｃに対して略直交するように立設された略矩形状の板状部である。また、壁部３３は、一対の載置部３１、３２の載置面３１ａ、３２ａの斜面下部側に配置され、壁部３３の左側面である当て面３３ａは載置面３１ａ、３２ａと斜めに対向している。なお、壁部３３は、図３では図示されていないが、第１打ち上げミラー１６と第２打ち上げミラー２４との間に挟まれるような位置に設けられている。
【００５８】
図４（ｂ）に示すように、壁部３３の当て面３３ａ側の下部には空間部３３ｂが形成されている。この空間部３３ｂは略直方体形状をしており、図４（ｂ）においては紙面に対して略直交する方向に延びている。なお、図４（ａ）を参照して表現すると、空間部３３ｂは壁部３３の上から下まで帯状に延びている。
【００５９】
この空間部３３ｂは、図４（ｂ）を参照して、第１打ち上げミラー１６の切断面１６ｃの反射面側端部Ｌ１近傍が当て面３３ａと接触しないように形成されている。本実施形態では、当て面３３ａが、切断面１６ｃの対向面（１６ｂ）側端部Ｌ２から切断面１６ｃに沿って反射面側端部Ｌ１へと向かう方向の略半分位置までと接触するように、空間部３３ｂは形成されている。
【００６０】
このように取付部３０を構成することにより、第１打ち上げミラー１６を光ピックアップ１に取り付ける際の作業が容易になる。すなわち、第１打ち上げミラー１６の取り付けにあたっては、図４（ｂ）に示す矢印Ｐ１方向（載置面３１ａ、３２ａと略直交する方向）と、矢印Ｐ２方向（載置面３１ａ、３２ａと略平行な方向）とに第１打ち上げミラー１６を治具で押さえつけながら固定することができる。このため、取り付け時の位置合わせが行い易く、取付作業が容易となる。なお、第１打ち上げミラー１６の取付部３０への固定は例えば紫外線硬化樹脂等が用いられる。
【００６１】
また、このように治具で押さえつけながら取り付ける場合でも、第１打ち上げミラー１６の肉厚が薄く剛性が弱い部分（切断面１６ｃの反射面１６ａ側端部Ｌ１近傍）には空間部３３ｂが設けられて負荷がかからないようになっているので、反射面１６ａの歪みが生じ難い。
【００６２】
なお、本発明は以上に示した実施形態の構成に限定されない。すなわち、本発明の目的を逸脱しない範囲で種々の変更が可能である。
【００６３】
例えば、以上に示した実施形態では、当て面３３ａが、切断面１６ｃの対向面側端部Ｌ２から切断面１６ｃに沿って反射面側端部Ｌ１へと向かう方向の略半分位置までと接触するように、空間部３３ｂが形成される構成とした。しかし、これに限定されず、空間部３３ｂは、当て面３３ａと切断面１６ｃとの接触が確保され、且つ、切断面１６ｃの反射面側端部Ｌ１近傍が当て面３３ａと接触しないように形成されていれば良い。ただし、本実施形態のように構成した場合、作業性の確保をしつつ、反射面１６ａの歪みを効果的に低減できるので、本実施形態の構成が好ましい。
【００６４】
また、例えば、本発明の光ピックアップが情報の読み取りや書き込みを行う対象の光ディスクは、本実施形態で示した光ディスク（ＢＤ、ＤＶＤ、ＣＤ）に限定されないのは言うまでもない。その他、本発明の適用対象となるミラーは打ち上げミラーに限定されるものではなく、反射面と鋭角を形成する切断面を有するミラーが広く本発明の適用対象となる。
【産業上の利用可能性】
【００６５】
本発明は、例えばＢＤ、ＤＶＤ、及びＣＤに対応する光ピックアップに好適に適用される。
【符号の説明】
【００６６】
１  光ピックアップ
２  ピックアップベース（ベース部材）
４  第１光学系
５  第２光学系
１０  光ディスク
１０ａ  情報記録面
１１  第１光源
１６  第１打ち上げミラー
１６ａ  反射面
１６ｂ  対向面
１６ｃ  切断面
１９  第１受光素子
２１  第２光源
２７  第２受光素子
３０  取付部
３１  載置部（一対の載置部の一方）
３１ａ  載置面
３２  載置部（一対の載置部の他方）
３２ａ  載置面
３３  壁部
３３ａ  当て面
３３ｂ  空間部
Ｌ１  切断面の反射面側端部
Ｌ２  切断面の対向面側端部
【図１】
2010165436.tif 000003
【図２】
2010165436.tif 000004
【図３】
2010165436.tif 000005
【図４】
2010165436.tif 000006
【図５】
2010165436.tif 000007
【図６】
2010165436.tif 000008